(57)【要約】【課題】設置時の位置調整やレベル調整を簡略化することが可能な免震装置支持構造及び免震装置支持構造の施工方法を提供することを目的とする。【解決手段】免震装置支持構造１は、構造物の下部構造体２１と上部構造体２２との間に設置される免震装置１０を支持する免震装置支持構造１であって、下部構造体２１又は上部構造体２２に設けられたコンクリート製のペデスタル２と、筒形状の本体部４がペデスタル２に固定され、本体部４の軸線方向端部が免震装置１０と接続される筒型アンカー３とを備える。【選択図】図１
2014020097.tif 000002
【特許請求の範囲】
【請求項１】
構造物の下部構造体と上部構造体との間に設置される免震装置を支持する免震装置支持構造であって、
前記下部構造体又は前記上部構造体に設けられたコンクリート製の支持部と、
筒形状の本体部が前記支持部に固定され、前記本体部の軸線方向端部が前記免震装置と接続されるアンカー部と、
を備える免震装置支持構造。
【請求項２】
前記アンカー部の前記本体部は、前記支持部の内部に設置される請求項１に記載の免震装置支持構造。
【請求項３】
前記アンカー部の前記本体部は、前記支持部の外周に設置される請求項１に記載の免震装置支持構造。
【請求項４】
前記アンカー部の前記本体部は、外表面又は内表面に棒状のスタッドが設置されている請求項１から３のいずれか１項に記載の免震装置支持構造。
【請求項５】
構造物の下部構造体と上部構造体との間に設置される免震装置を支持する免震装置支持構造の施工方法であって、
前記下部構造体又は前記上部構造体において、支持部が設けられる位置に予め筒形状の本体部を有するアンカー部を設置するステップと、
前記アンカー部が設置された前記下部構造体又は前記上部構造体にコンクリート製の前記支持部を作製するステップと、
前記アンカー部の軸線方向端部に前記免震装置を接続するステップと、
を含む免震装置支持構造の施工方法。
【発明の詳細な説明】
【技術分野】
【０００１】
本発明は、免震装置支持構造及び免震装置支持構造の施工方法に関するものである。
【背景技術】
【０００２】
免震装置は、例えば、ゴムと鉄板を交互に積み重ねた積層ゴムであり、一般建築物、プラント設備等の構造物において、基礎版等の下部構造体と、建屋側の上部構造体との間に設置される。
免震装置は、例えば特許文献１に示すように、複数本のアンカーボルトによって上部構造体や下部構造体に固定される。特許文献２及び３には、免震装置を用いていないが、基礎構造にアンカーボルトを使用している例が開示されている。
【先行技術文献】
【特許文献】
【０００３】
【特許文献１】特開２０１１−２３１５７４号公報
【特許文献２】特開２００５−９９０２号公報
【特許文献３】特開平１−３０４２２０号公報
【発明の概要】
【発明が解決しようとする課題】
【０００４】
アンカーボルトを使用して免震装置を固定する場合、アンカーボルトが基礎コンクリート（ペデスタル）内部に配筋される鉄筋と干渉しないような位置調整が必要となる。アンカーボルトは、免震装置の固定のために、複数本設置されることから、位置調整を複数回行わなければならない。また、基礎コンクリートの水平面は不陸が生じるため、基礎コンクリートの上面と免震装置の下面との間にグラウトを注入して、基礎コンクリートと免震装置の接触面を水平にしたり、免震装置のレベルを調整したりする必要がある。そのため、アンカーボルトを用いた免震装置の固定方法は、施工期間が長期化し、コストが上昇する要因となっていた。
【０００５】
さらに、原子炉建屋等の多数の免震装置を設置する必要がある構造物では、反力を確保するため、十分な基礎コンクリートの平面スペースが必要となる。免震装置は、一つの基礎コンクリートに１個ごと固定されており、基礎コンクリートの必要断面積が大きくなると、構造物の構造が成立困難となる可能性もある。
【０００６】
本発明は、このような事情に鑑みてなされたものであって、設置時の位置調整やレベル調整を簡略化することが可能な免震装置支持構造及び免震装置支持構造の施工方法を提供することを目的とする。
【課題を解決するための手段】
【０００７】
上記課題を解決するために、本発明の免震装置支持構造及び免震装置支持構造の施工方法は以下の手段を採用する。
すなわち、本発明に係る免震装置支持構造は、構造物の下部構造体と上部構造体との間に設置される免震装置を支持する免震装置支持構造であって、前記下部構造体又は前記上部構造体に設けられたコンクリート製の支持部と、筒形状の本体部が前記支持部に固定され、前記本体部の軸線方向端部が前記免震装置と接続されるアンカー部とを備える。
【０００８】
この発明によれば、免震装置がアンカー部の本体部の軸線方向端部に接続され、本体部は、構造物の下部構造体又は上部構造体に設けられたコンクリート製の支持部に固定されることから、免震装置は、アンカー部及び支持部を介して構造物に支持される。アンカー部の本体部は筒形状を有しているため、アンカー部は、免震装置の周形状に沿って配置される複数本のアンカーボルトと同様の役割を果たすことができる。また、１個のアンカー部を設置すればよいため、複数本のアンカーボルトを設置する場合に比べて、免震装置の位置調整が容易になる。さらに、免震装置は、筒形状の本体部の軸線方向端部に直接接続することができるため、支持部と免震装置の間のグラウト注入が不要になり、免震装置のレベル調整が容易になる。
【０００９】
上記発明において、前記アンカー部の前記本体部は、前記支持部の内部に設置されてもよい。
この発明によれば、構造物の下部構造体又は上部構造体に設けられたコンクリート製の支持部の内部にアンカー部の本体部が設置され、本体部の径を必要最小径とすることで、支持部の断面積を抑制できる。
【００１０】
上記発明において、前記アンカー部の前記本体部は、前記支持部の外周に設置されてもよい。
この発明によれば、構造物の下部構造体又は上部構造体に設けられたコンクリート製の支持部の外周にアンカー部の本体部が設置される。アンカー部の本体部の内部にコンクリートを打設することによって支持部を形成することで、免震装置支持構造を作製できることから、コンクリート打設のための型枠が不要になり、施工期間を短縮化できる。
【００１１】
上記発明において、前記アンカー部の前記本体部は、外表面又は内表面に棒状のスタッドが設置されてもよい。
この発明によれば、コンクリートとアンカー部の接触表面積が増えて定着力が増し、アンカー部の支持部に対する引き抜き抵抗力を増加させることができる。
【００１２】
また、本発明に係る免震装置支持構造の施工方法は、構造物の下部構造体と上部構造体との間に設置される免震装置を支持する免震装置支持構造の施工方法であって、前記下部構造体又は前記上部構造体において、支持部が設けられる位置に予め筒形状の本体部を有するアンカー部を設置するステップと、前記アンカー部が設置された前記下部構造体又は前記上部構造体にコンクリート製の前記支持部を作製するステップと、前記アンカー部の軸線方向端部に前記免震装置を接続するステップとを含む。
【００１３】
この発明によれば、アンカー部の本体部は筒形状を有しており、免震装置の周形状に沿って配置される複数本のアンカーボルトと同様の役割を果たすことができる。アンカー部を下部構造体又は上部構造体に設置する際に、１個のアンカー部を設置すればよいため、複数本のアンカーボルトを設置する場合に比べて、免震装置の位置調整が容易になる。また、免震装置は、筒形状の本体部の軸線方向端部に直接接続することができるため、免震装置のレベル調整が容易になる。
【発明の効果】
【００１４】
本発明によれば、アンカー部が筒形状の本体部を有し、本体部がコンクリート製の支持部に固定されることから、設置時の位置調整やレベル調整を簡略化することができる。
【図面の簡単な説明】
【００１５】
【図１】本発明の第１実施形態に係る免震装置支持構造を示す縦断面図である。
【図２】図１のII−II線で切断した免震装置支持構造を示す横断面図である。
【図３】図１のIII−III線で切断した免震装置支持構造を示す横断面図である。
【図４】本発明の第１実施形態に係る免震装置支持構造の筒型アンカーを示す縦断面図である。
【図５】本発明の第２実施形態に係る免震装置支持構造を示す縦断面図である。
【図６】図５のVI−VI線で切断した免震装置支持構造を示す横断面図である。
【図７】図５のVII−VII線で切断した免震装置支持構造を示す横断面図である。
【発明を実施するための形態】
【００１６】
以下に、本発明に係る実施形態について、図面を参照して説明する。
［第１実施形態］
以下、本発明の第１実施形態に係る免震装置支持構造１について、図１〜図４を用いて説明する。
免震装置支持構造１によって支持される免震装置１０は、積層ゴム１１を備えており、積層ゴム１１は、ゴムと鉄板が交互に重ねられている。免震装置１０は、積層ゴム１１を挟むようにして、上部と下部に板状のフランジ部１２が設置される。上部と下部のフランジ部１２は、互いに平行である。フランジ部１２の径は、積層ゴム１１よりも大きく、フランジ部１２のうち積層ゴム１１から突出した部分には、ボルト１３用の貫通孔が形成される。ボルト１３は、筒型アンカー３に形成された貫通孔７（図４参照）にも通過して、ナットによって締め付けられることにより、免震装置１０と筒型アンカー３とが接続される。なお、図１では、ボルト１３に対して後からナットを締結する例を示しているが、筒型アンカー３の貫通孔７の片側に予め袋ナットを設置しておき、そこにボルト１３を締結するようにしてもよい。
【００１７】
免震装置支持構造１は、構造物の下部構造体２１又は上部構造体２２に設けられ、免震装置１０を支持する。ここで、構造物は、ビル等の一般建築物や、発電設備等のプラントなどである。下部構造体２１は、地盤上に設けられた基礎版であり、上部構造体２２は、下部構造体２１の上部に設置される建屋等の床、柱、梁、壁などである。
【００１８】
免震装置支持構造１は、下部構造体２１又は上部構造体２２に形成されるコンクリート製のペデスタル２と、筒形状の鋼製の筒型アンカー３などからなる。なお、図１では、免震装置支持構造１が下部構造体２１と上部構造体２２の両方に設けられる場合について示しているが、本発明はこの例に限定されず、いずれか一方のみに設けられるとしてもよい。
ペデスタル２は、支持部の一例であり、例えば直方体形状であって、下部構造体２１又は上部構造体２２の水平面部分に対して垂直方向に立設されている。
【００１９】
筒型アンカー３は、筒形状の本体部４と、本体部４の軸線方向一端部に設けられた板状のフランジ部５と、本体部４の表面に設けられた複数本の棒状のスタッド６等を有する。
【００２０】
本体部４は、ペデスタル２の内部に設置され、コンクリートが筒型アンカー３の表面に定着することによってペデスタル２、そして下部構造体２１又は上部構造体２２に対して固定される。本体部４は、例えば鋼製であるが、要求される強度に耐えられる材質であればよく、鋼製以外の材料でもよい。
【００２１】
本体部４は、軸線方向が水平面に対して垂直になるようにペデスタル２の内部に埋設される。下部構造体２１のペデスタル２に筒型アンカー３が設けられる場合、フランジ部５側の本体部４の端部が、ペデスタル２の上面から露出するように設けられる。上部構造体２２のペデスタル２に筒型アンカー３が設けられる場合、フランジ部５側の本体部４の端部が、ペデスタル２の下面から露出するように設けられる。なお、上部構造体２２のペデスタル２に筒型アンカー３が設けられる場合について説明すると、筒型アンカー３の貫通孔７の片側に袋ナットを設置している場合、本体部４の端部がペデスタル２の下面から露出していなくてもよい。すなわち、フランジ部５のうち袋ナットが設置されている面がペデスタル２に接触又は埋設され、フランジ部５のうち本体部４とは反対側の面がペデスタル２の下面から露出していればよい。
【００２２】
本体部４は、例えば断面が円形の円筒形状であり、径や肉厚は、引き抜き抵抗力等の条件によって決定される。例えば、従来設置されていた複数本のアンカーボルトによる引き抜き抵抗と同等以上の引き抜き抵抗力となるようなコンクリート破壊面が得られるように本体部４の径が決定される。例えば、従来のアンカーボルトの配置と同じ位置に本体部４の円筒部分が配置される。
【００２３】
本体部４は、軸線方向一端部において、例えば溶接よってフランジ部５と接合される。そして、本体部４は、フランジ部５を介して免震装置１０と接続される。すなわち、フランジ部５の一面側に本体部４が溶接によって接続され、フランジ部５の他面側に免震装置１０が接続されることから、本体部４の径は、免震装置１０の積層ゴム１１に影響されずに決定することができる。例えば、本体部４の径は、免震装置１０よりも小さい径とすることができる。
【００２４】
従来、免震装置１０の積層ゴム１１に干渉しないように、免震装置１０のフランジ部１２において積層ゴム１１の外周面よりも外側にアンカーボルトが貫通して、免震装置１０がペデスタル２に固定されていた。一方、本実施形態では、引き抜き抵抗力等の条件を考慮して、本体部４の径を従来のアンカーボルトの配置と同じ位置よりも内側、ひいては免震装置１０の径よりも小さくすることができ、これらの場合、ペデスタル２の断面積を従来に比べて小さくできる。
【００２５】
フランジ部５が接合される本体部４の軸線方向一端部は、本体部４の軸線方向に対して垂直であり、フランジ部５も本体部４の軸線方向に対して垂直となる。フランジ部５には、免震装置１０のフランジ部１２が例えばボルト接合によって接続される。これにより、筒型アンカー３と免震装置１０が一体化される。
【００２６】
スタッド６は、棒状体の一端部が、本体部４の外表面又は内表面に接続される。スタッド６と本体部４は、例えば溶接によって接続される。なお、スタッド６と本体部４は、本体部４に設けられた貫通孔（図示せず。）にスタッド６を通過させてボルト結合によって接続されてもよい。スタッド６は、軸線方向が例えば本体部４の外表面又は内表面の法線方向に一致するように設けられる。スタッド６は、棒鋼又は鉄筋などであり、スタッド６の表面は、滑らかな表面でもよいし、凹凸が形成されてもよい。スタッド６は、本体部４に複数本設置される。本体部４の表面におけるスタッド６の配置や、スタッド６の数は、設計条件などに応じて決定される。
【００２７】
本体部４の形状は、円筒形に限られず、断面が四角形などの多角形筒でもよい。また、本体部４の外表面又は内表面には、棒状のスタッド６の代わりに、本体部４の表面の軸線方向が繰り返し凹凸になるように、複数のリング状の部材（図示せず。）を本体部４の外表面又は内表面に互いに平行に設けてもよい。また、例えば、本体部４の内部にも、スタッド６を設けてもよいし、板状部材を井桁状に組み合わせて設置してもよい。その他、本体部４の定着を向上させる形状であれば、他の形状の部材を本体部４の外表面や内表面に設けてもよい。
【００２８】
次に、免震装置支持構造１の設置方法について説明する。
まず、予め、筒型アンカー３が工場等で作製される。筒型アンカー３は、例えば、筒状の本体部４の軸線方向一端部に板状のフランジ部５を溶接し、本体部４の表面に複数本のスタッド６を溶接することによって作製される。フランジ部５には、免震装置１０と接続するためのボルト１３用の貫通孔７が形成される。なお、筒型アンカー３の貫通孔７の片側に予め袋ナットを設置しておき、そこにボルト１３を締結するようにしてもよい。そして、作製された筒型アンカー３は、免震装置１０が設置される構造物の建設現場に搬入される。
【００２９】
免震装置１０の設置現場では、下部構造体２１又は上部構造体２２の水平面上にペデスタル２を形成するための鉄筋が組まれる。このとき、ペデスタル２の内部に筒型アンカー３の本体部４が配置されるように、筒型アンカー３が鉄筋と共に設置される。下部構造体２１に形成するペデスタル２の場合、フランジ部５をペデスタル２の上面側に露出させ、上部構造体２２に形成するペデスタル２の場合、フランジ部５をペデスタル２の下面側に露出させるように筒型アンカー３が配置される。
【００３０】
次に、組み上げられた鉄筋の周囲に型枠が形成され、型枠内部にコンクリートが打設される。そして、打設されたコンクリートが硬化したところで、型枠が取り外される。これにより、筒型アンカー３がペデスタル２と一体化した免震装置支持構造１が構築される。なお、免震装置１０は、ペデスタル２に設置された筒型アンカー３に載置される。免震装置１０は、型枠形成後かつコンクリート打設前に、フランジ部５上に載置されてもよいし、コンクリート打設後に、フランジ部５に載置されてもよい。
【００３１】
本実施形態によれば、筒型アンカー３に免震装置１０が載置されることから、コンクリート打設後にグラウト注入が不要であり、コンクリートの打設によって、免震装置支持構造１の設置が完了する。したがって、施工期間の短縮化を図ったり、設置にかかる手間を低減したりすることができる。なお、本実施形態の免震装置支持構造１を適用した場合、グラウトを全く注入しないということではなく、本実施形態でも、フランジ部５とペデスタル２の間にグラウトを注入してもよい。
【００３２】
以上、本実施形態によれば、従来のように免震装置１０を複数のアンカーボルトで固定するのではなく、一つの筒型アンカー３で固定するため、免震装置支持構造１の設置現場で扱う部材が少なくなり、施工が容易になる。例えば、アンカーボルトの場合、１本ずつ位置決めしたり、鉄筋との干渉を調整したりする必要があるが、筒型アンカー３の場合、位置決めや鉄筋との干渉調整にかかる手間を大幅に削減できる。その結果、施工期間が短くなり、コストも低減する。
【００３３】
筒型アンカー３の場合、水平に形成された筒型アンカー３の軸線方向端部で免震装置１０を接続できることから、免震装置１０の圧縮軸力を筒型アンカー３へ伝達できる。したがって、従来、免震装置１０の下面又は上面とペデスタルとの間に注入されていたグラウトを不要とすることができる。その結果、工数を削減することができ施工が容易になり、コストも低減できる。
【００３４】
また、ペデスタル２の作製時においてコンクリートの強度発現を待たないで免震装置１０を配置できるため、ペデスタル２の作製と、免震装置１０の配置を並行して実施できる。その結果、施工期間が短くなり、コストも低減する。さらに、筒型アンカー３の本体部４の径を必要最小径とすることによって、個々のペデスタル２の断面積を抑制できる。その結果、原子炉建屋等の多数の免震装置１０を設置する必要がある構造物において、基礎コンクリートの必要断面積が大きくなる場合でも、構造物の構造を成立させることができる。
【００３５】
上記実施形態では、筒型アンカー３がフランジ部５を備えて、フランジ部５を介して免震装置１０と接続される場合について説明したが、フランジ部５を必ずしも備える必要はない。例えば、フランジ部５を設けず、筒型アンカー３の筒状の本体部４の軸線方向端部に、免震装置１０のフランジ部１２を直接接続してもよい。この場合、筒型アンカー３と免震装置１０とを工場等で組み立てて一体化し、これを免震装置１０の設置現場に搬入する。そして、ペデスタル２を形成するための鉄筋に筒型アンカー３と免震装置１０とが一体化した部材を設置する。したがって、免震装置１０の設置現場では、筒型アンカー３と免震装置１０を接続する作業が不要になる。
【００３６】
［第２実施形態］
次に、本発明の第２実施形態について、図５〜図７を用いて説明する。
上述した第１実施形態では、筒型アンカー３をペデスタル２の内部に設置する場合について説明したが、本発明はこの例に限定されない。第２実施形態では、図５に示すように、ペデスタル２のコンクリート部分の外側を囲むように鋼製の筒型アンカー３が配置される。
【００３７】
筒型アンカー３は、筒形状の本体部４と、本体部４の軸線方向一端部に設けられた端面部８と、本体部４の表面に設けられた棒状のスタッド６等を有する。本体部４は、円筒形状でもよいし、断面が四角形等の角筒形状でもよい。本体部４は、一部分が下部構造体２１又は上部構造体２２に埋設されて、下部構造体２１又は上部構造体２２に対して固定される。下部構造体２１に設置される筒型アンカー３の端面部８には、図６に示すように、内部にコンクリートを打設するための開口部９が形成される。
【００３８】
本実施形態に係る免震装置支持構造１の設置方法について説明する。
まず、予め、筒型アンカー３が工場等で作製される。筒型アンカー３は、例えば、筒状の本体部４の軸線方向一端部に板状の端面部８を溶接し、本体部４の表面に複数本のスタッド６を溶接することによって作製される。端面部８には、免震装置１０と接続するためのボルト用貫通孔（図示せず。）が形成されてもよい。また、工場等で予め免震装置１０を筒型アンカー３に接続してもよい。そして、作製された筒型アンカー３は、免震装置１０が設置される構造物の建設現場に搬入される。
【００３９】
次に、免震装置１０の設置現場において、下部構造体２１又は上部構造体２２を形成するために組まれた鉄筋上に、筒型アンカー３が設置される。このとき、下部構造体２１又は上部構造体２２の鉄筋部分の内部に筒型アンカー３の本体部４の一部が配置され、残りの部分が下部構造体２１又は上部構造体２２の鉄筋部分から垂直方向に露出した状態となる。
【００４０】
次に、下部構造体２１又は上部構造体２２にコンクリートを打設する。このとき、筒型アンカー３の内部にもコンクリートを打設する。筒型アンカー３の内部にコンクリートが充填されることによって、ペデスタル２の圧縮耐力が向上する。コンクリートが硬化することよって、筒型アンカー３が下部構造体２１又は上部構造体２２と一体化した免震装置支持構造１が構築される。
【００４１】
本実施形態によれば、第１実施形態と異なり、免震装置支持構造１の設置時において、型枠が不要になる。したがって、型枠の設置作業やコンクリート硬化後の型枠の取り外し作業を省略できるため、施工期間が短くなる。
【符号の説明】
【００４２】
１  免震装置支持構造
２  ペデスタル（支持部）
３  筒型アンカー（アンカー部）
４  本体部
５  フランジ部
６  スタッド
８  端面部
１０  免震装置
１１  積層ゴム
１２  フランジ部
２１  下部構造体
２２  上部構造体
【図１】
2014020097.tif 000003
【図２】
2014020097.tif 000004
【図３】
2014020097.tif 000005
【図４】
2014020097.tif 000006
【図５】
2014020097.tif 000007
【図６】
2014020097.tif 000008
【図７】
2014020097.tif 000009